(57)【特許請求の範囲】
【請求項１】
画像情報と、当該画像情報とは異なり、動画像を表す付加情報とが印刷された印刷物を読み取り、表示する画像処理装置であって、
読み取ることで得た前記印刷物の画像データから前記付加情報を分離する分離手段と、
前記印刷物の画像データが示す画像を表示する表示手段と、
前記付加情報のヘッダ部から、前記表示手段で表示される画像データが示す画像に対する、前記付加情報が表わす動画像の表示すべき位置とサイズを示す情報を取得する取得手段と、
前記分離手段で分離された前記付加情報が表わす動画像の表わすサイズを、前記取得手段で取得した表示すべきサイズになるように、リサイズするリサイズ手段と、
前記リサイズ手段でリサイズされた前記付加情報が表わす動画像を、前記表示手段で表示する前記読み取って得られた画像データが示す画像中の、前記取得手段が取得した表示すべき位置に、重ね合わせて再生する再生手段と
を備えることを特徴とする画像処理装置。
【請求項２】
前記分離手段は、読み取って得られた前記画像データから、電子透かし処理で多重化された付加情報を分離することを特徴とする請求項第１項に記載の画像処理装置。
【請求項３】
前記付加情報は、誤差拡散法によって生じるテクスチャに規則性を生じさせることにより符号として埋め込まれていることを特徴とする請求項第２項に記載の画像処理装置。
【請求項４】
前記付加情報はバーコードあるいは２次元ドットコードを用いて印刷されていることを特徴とする請求項第１項に記載の画像処理装置。
【請求項５】
前記取得手段が取得する対象の前記表示すべき位置とサイズを示す情報は、表示される印刷物の読み取って得られた画像データが示す画像のサイズに対する割合で表現されており、画像のサイズを変更した際に、その変更後のサイズに併せて付加情報の動画像のサイズをリサイズすることを特徴とする請求項第１項に記載の画像処理装置。
【請求項６】
画像情報と、当該画像情報とは異なり、動画像を表す付加情報とが印刷された印刷物を読み取り、表示する画像処理装置の制御方法であって、
読み取ることで得た前記印刷物の画像データから前記付加情報を分離する分離手段と、
前記印刷物の画像データが示す画像を表示する表示工程と、
前記付加情報のヘッダ部から、前記表示工程で表示される画像データが示す画像に対する、前記付加情報が表わす動画像の表示すべき位置とサイズを示す情報を取得する取得工程と、
前記分離工程で分離された前記付加情報が表わす動画像の表わすサイズを、前記取得工程で取得した表示すべきサイズになるように、リサイズするリサイズ工程と、
前記リサイズ工程でリサイズされた前記付加情報が表わす動画像を、前記表示工程で表示する前記読み取って得られた画像データが示す画像中の、前記取得工程で取得した表示すべき位置に、重ね合わせて再生する再生工程と
を備えることを特徴とする画像処理装置の制御方法。
【請求項７】
画像情報と、当該画像情報とは異なり、動画像を表す付加情報とが印刷された印刷物を所定の読み取り装置を用いて読み取り、表示する画像処理装置としてコンピュータを機能させるコンピュータプログラムであって、
前記コンピュータに、
読み取ることで得た前記印刷物の画像データから前記付加情報を分離する分離手段と、
前記印刷物の画像データが示す画像を表示する表示手段、
前記付加情報のヘッダ部から、前記表示手段で表示される画像データが示す画像に対する、前記付加情報が表わす動画像の表示すべき位置とサイズを示す情報を取得する取得手段、
前記分離手段で分離された前記付加情報が表わす動画像の表わすサイズを、前記取得手段で取得した表示すべきサイズになるように、リサイズするリサイズ手段、
前記リサイズ手段でリサイズされた前記付加情報が表わす動画像を、前記表示手段で表示する前記読み取って得られた画像データが示す画像中の、前記取得手段が取得した表示すべき位置に、重ね合わせて再生する再生手段
として機能させることを特徴とするコンピュータプログラム。
【請求項８】
請求項第７項に記載のコンピュータプログラムを格納したことを特徴とするコンピュータ可読記憶媒体。
【発明の詳細な説明】
【０００１】
【発明の属する技術分野】
本発明は画像処理装置及びその制御方法、並びにコンピュータプログラム及び記憶媒体に関するものである。
【０００２】
【従来の技術】
従来より、画像情報中に、画像に関連のある他の情報を多重化する研究が盛んに行われている。
【０００３】
近年では、電子透かし技術と称し、写真、絵画等の画像情報中に、その著作者名や、使用許可の可否等の付加情報を視覚的に判別しづらい様に多重化して、インターネット等のネットワークを通じて流通する技術が標準化されつつある。
【０００４】
また、他の応用分野としては、複写機、プリンタ等の画像出力装置の高画質化に伴い、紙幣、印紙、有価証券等の不正な偽造を防止する目的で、紙上に出力された画像から出力機器、及び、その機体番号を特定する為に、画像中に付加情報を埋め込む技術がある。
【０００５】
例えば、特開平７-１２３２４４号では、視覚的に感度の低い色差成分、及び彩度成分の高周波域に付加情報を埋め込むことにより情報の多重化を行う技術を提案している。
【０００６】
また、出願人は、誤差拡散法による擬似階調処理を行う際に、通常の疑似階調処理では発生し得ない量子化値の組み合わせを人工的に作成し、誤差拡散法によって生じるテクスチャに規則性を生じさせることにより、多くの付加情報の符号の埋め込みを行う方法を既に提案している。この方法は、テクスチャの形状が微視的に多少変化するだけなので、視覚的には画質が劣化するものではない。また、誤差拡散法の量子化閾値を変更する方法を用いれば、視覚的に面積階調の濃度値も保たれる為、極めて容易に異種信号の多重化が実現できる。
【０００７】
図１は、出願人により提案された画像処理システムの構成を表すブロック図である。図中、１００及び１０４はともに入力端子を示し、入力端子１００からは多階調の画像情報を、入力端子１０４からは、画像情報の中に埋め込むべき必要な付加情報が入力される。この付加情報は、入力端子１００にて入力される画像情報とは別の様々な情報が考えられる。付加情報には、誤り訂正符号化部１０３において、誤り訂正のための符号化処理が施される。この誤り訂正符号には、ＢＣＨ符号、リードソロモン符号等いかなる種類の符号を用いてもよい。誤り訂正符号が施された結果得られた多重化情報は、付加情報多重化部１０１に入力される。この付加情報多重化部１０１は、視覚的に判別しづらいように、画像情報中に付加情報を埋め込ませる装置である。この付加情報多重化部は、付加情報の多重化とともに、入力した多階調の画像情報の量子化をも司る。１０２はプリンタを示し、付加情報多重化部で作成された情報をプリンタエンジンにて出力する。プリンタは、インクジェットプリンタ、レーザープリンタ等、疑似階調処理を用いることにより階調表現を実現するプリンタを想定する。
【０００８】
出力された印字物は、スキャナ１０５を用いて印字物上の情報を読みとり、付加情報分離部１０６において、印刷時に生成したテクスチャの規則性を解析することにより、印字物中に埋め込まれた付加情報を分離する。分離された付加情報は、誤り訂正復号化部１０７において、誤り訂正復号化処理が行われた後、出力端子１０８から出力される。
【０００９】
【発明が解決しようとする課題】
以上述べた手法を採用すると、確かに、大容量情報を画像情報中に、該画像情報の品質を劣化させることなく多重化することが可能になる。
【００１０】
しかしながら、紙上に印字された画像領域を単なる記録媒体としたものでしかなく、フロッピーディスクやCD-ROM等の記録媒体となんら趣旨の変わらないものであった。すなわち、付加された情報は、それ自体が単独の情報として取り扱われ、情報多重化領域となっている画像と組み合わせて何らかの効果を生み出すまでには至っていない。
【００１１】
本発明はかかる問題点に鑑みなされたものであり、印刷物を読み取った際、その印刷物に付随して記録されている付加情報を、読み取った画像を表示すると共に再生することで、単なる静止画の枠を越えた特殊効果をかもし出す画像処理装置及びその制御方法、並びにコンピュータプログラム及び記憶媒体を提供しようとするものである。
【００１２】
【課題を解決するための手段】
この課題を解決するため、例えば本発明の画像処理装置は以下の構成を備える。すなわち、
画像情報と、当該画像情報とは異なり、動画像を表す付加情報とが印刷された印刷物を読み取り、表示する画像処理装置であって、
読み取ることで得た前記印刷物の画像データから前記付加情報を分離する分離手段と、
前記印刷物の画像データが示す画像を表示する表示手段と、
前記付加情報のヘッダ部から、前記表示手段で表示される画像データが示す画像に対する、前記付加情報が表わす動画像の表示すべき位置とサイズを示す情報を取得する取得手段と、
前記分離手段で分離された前記付加情報が表わす動画像の表わすサイズを、前記取得手段で取得した表示すべきサイズになるように、リサイズするリサイズ手段と、
前記リサイズ手段でリサイズされた前記付加情報が表わす動画像を、前記表示手段で表示する前記読み取って得られた画像データが示す画像中の、前記取得手段が取得した表示すべき位置に、重ね合わせて再生する再生手段とを備える。
【００１３】
【発明の実施の形態】
以下、添付図面に従って本発明に係る実施形態を詳細に説明する。
【００１４】
尚、実施形態における画像処理装置は、主として、プリンタエンジンへ出力すべき画像情報を作成するコンピュータ内のプリンタドライバソフト、もしくは、アプリケーションソフトとして内蔵することが効率的であるが、複写機、ファクシミリ、プリンタ本体等にハードウエア、及びソフトウエアとして内蔵することも効果がある。
【００１５】
図２は、実施形態における画像処理システムの構成を表す機能ブロック図であり、図３は具体的な装置構成を示す図である。
【００１６】
図３の装置３０１において、３０２は装置全体の制御を司るＣＰＵ、３０３はＣＰＵ３０２のワークエリアとして使用されるＲＡＭ、３０４はＢＩＯＳやブートプログラムを記憶しているＲＯＭである。３０５はハードディスク装置等の２次記憶装置であり、ここにＯＳや図１に示す機能実現手段となるプログラムが格納されている。３０６は表示部であり、３０７はマウス、キーボード等を接続するユーザインターフェースである。３０８はプリンタ、３０９はイメージスキャナである。これら構成要素がバス３１０を介して接続されている。
【００１７】
図２において、２０１及び２０７はともに入力端子を示している。入力端子２０１については、スキャナ３０９や画像をファイルとして格納している２次記憶装置３０５で良いし、入力端子２０７には２次記憶装置で構わない。いずれにしても、入力端子２０１からは多階調の画像情報を、入力２０７からは画像情報の中に埋め込むべき必要なマルチメディア情報Ｘが入力されることになる。このマルチメディア情報Ｘは、入力端子２０１にて入力される画像情報とは別の様々な情報が考えられるが、本実施形態では、図４に示されるような動画像情報とする。
【００１８】
なお、図４は、雪が降っているアニメーションを示しており、そのサイズはＨM×ＷM画素となっている。データのフォーマットには、一般的に広く使用されているアニメーションＧＩＦや、ベクトル記述言語で記述されたデータ形式や、ＭＰＥＧ等が考えられるが、本実施形態では、そのいずれを用いても良い。また、入力端子２０１から入力される多値画像の例としては、図５に示すような夜景画像（ＨS×ＷS[pixel]）とする。
【００１９】
マルチメディア情報Ｘは、付加情報生成部２０６にて、多重化フォーマット用のヘッダ部分が加えられ、付加情報Ｙとして出力される。図６に付加情報Ｙのフォーマットの例を示す。ヘッダ部６０１には、該付加情報Ｙの作成日時や、印字媒体の種類、またマルチメディア情報のバイト数や、拡張子付きのファイル名等が格納される。
【００２０】
次に、この付加情報Ｙは、誤り訂正符号化部２０５に入力され、誤り訂正用の訂正符号が付加され、その結果多重化情報Ｚを出力する。誤り訂正符号は様々なものが提案されており、代表的なものとしては、リードソロモン符号、ＢＣＨ符号、ファイア符号、ピーターソン符号等があげられる。本実施形態では、誤り訂正方式として、これらのうちいずれを用いてもかまわない。
【００２１】
さて、図２における付加情報多重化部２０２は、視覚的に判別しづらいように、画像情報中に多重化情報Ｚを埋め込ませる。具体的には、誤差拡散法による擬似階調処理を行う際に、通常の疑似階調処理では発生し得ない量子化値の組み合わせを人工的に作成することにより、誤差拡散法によって生じるテクスチャに規則性を生じさせることにより、符号の埋め込みを行う。この方法は、テクスチャの形状が微視的に多少変化するだけなので、視覚的には画質が劣化するものではない。また、誤差拡散法の量子化閾値を変更する方法を用いれば、視覚的に面積階調の濃度値も保たれる為、極めて容易に異種信号の多重化が実現できる。
【００２２】
こうして、多重化が行われると、プリンタ２０３により印刷出力する。ユーザーにしてみれば、このとき印刷された結果は、入力端子２０１より入力した画像が印刷されるかのように見える。なお、プリンタ２０３は、インクジェットプリンタ、レーザープリンタ等、疑似階調処理を用いることにより階調表現を実現するプリンタであれば良い。
【００２３】
以上が、情報多重化装置側の動作内容である。
【００２４】
次に、印字物中に埋め込まれた情報を復元する装置の動作について説明する。この装置の具体的構成は、図３と同様である。
【００２５】
出力された印字物は、スキャナ３０９等の光学読み取り装置２０９を用いて印字物上の画像情報を読みとる。読み取り解像度は、印字解像度と同一か、それ以上の解像度である必要がある。スキャンして得られた画像情報（Ｈ'S×Ｗ'S [pixel]）は、付加情報分離部２１０に入力され、同部において、印刷時に生成したテクスチャの規則性を解析することにより、印字物中に埋め込まれた多重化情報Ｚ’を分離する。
【００２６】
読みとられた多重化情報Ｚ’は、誤り訂正復号化部２１１に入力される。誤り訂正復号化部２１１では誤り訂正処理を行い、その結果得られた付加情報Ｙ’は、コンテンツ表示部２１２に入力され、付加されていたマルチメディア情報の種類に応じて、適切な手段によりコンテンツの再生を行う。
【００２７】
図７は、本実施形態におけるコンテンツ表示部２１２の処理の流れを示している。以下、同図に沿って説明する。
【００２８】
同図ではまず、ステップＳ７０１において、読み取った付加情報Ｙ’が動画であるか否かの判定を行う。判定は、付加情報Ｙ’のヘッダ部に含まれているマルチメディア情報のファイル名の拡張子を用いて行う。すなわち、ファイルの拡張子が、「GIF」や「ＭＰＧ」、あるいは、その他動画像のフォーマットを示すような拡張子であった場合、処理はステップＳ７０２に進み、その他の拡張子であった場合には、ステップＳ７０８において、各種拡張子に応じたアプリケーションを用いて、マルチメディア情報の再生を行う。ステップＳ７０２において、スキャナ２０９で読み取られた画像情報（ Ｈ'S×Ｗ'S[pixel]）を読み込み、ステップＳ７０３において、図８に示すような表示用のサイズＨD×ＤD[pixel]にリサイズし、表示用のビューワ８０１に背景画像として表示する。リサイズの方法は、公知である最近隣補間法や線形補間法等のいずれを用いても良い。
【００２９】
次に、ステップＳ７０４において、解読した動画像情報Ｘを、表示用のサイズＨD×ＷD[pixel]にリサイズし、ステップＳ７０５において背景画像に重ね合わせて動画情報の再生処理を行う。図８は、動画像再生処理の例であって、スキャンした夜景の画像上で、雪が降っている様子を示している。ユーザは、ビューワ８０１の再生ボタン８０２、一時停止ボタン８０４、ストップボタン８０４及び、処理終了ボタン８０５等で動画を制御することができる。再生終了後、ステップＳ７０６において再生ボタンが押されたなら、再び動画像再生処理を行い、ステップＳ７０７において処理終了ボタンが押されたなら、処理を終了する。
【００３０】
以上が、本実施形態における処理の流れの説明である。本実施形態で説明したように、スキャナで読み取られた画像と、その画像中に埋め込まれている動画情報を合成することにより、従来なかったようなエンターテイメント性の高い印字、復元、再生処理を実現することが可能となる。また、本実施形態では付加情報として、動画像情報１つを選択したのみであったが、動画像情報は１種類に限定するものではなく、また動画像情報とは別の例えば音声情報等を動画像情報と一緒に印字画像領域中に多重化し、再生時に動画像情報と同時に音声情報を再生するという応用も本発明の範疇に含まれる。
【００３１】
また、本実施形態では、画像中に付加情報を視認不可能な状態で埋め込む技術を採用したが、同様の効果は図９に示すような２次元ドットコードあるいはバーコードを印字することでも、実現することが可能である。図９において、９０１は２次元のドットコード領域であり、同領域に動画像情報がドットのオン・オフにより印字されている。再生側では、該領域９０１をスキャンすることで動画像情報を復元し、画像領域をスキャンすることによって得られた画像情報と合成することで、本発明が狙うものと同様の効果を生み出すことができる。当然のことながら、この場合も本発明の範疇に含まれる。
【００３２】
なお、付加情報がテキスト等の時間経過によって変動しないものである場合には、組み合わせ再生を行わないようにしても良い。この場合の判断は、拡張子によって行えば良いであろう。すなわち、ＭＰＥＧやＷＡＶと行った拡張子の場合、少なくとも時間変化する情報であるので、この場合には、上記実施形態で説明したように組み合わせ同時再生を行う。
【００３３】
＜第２の実施形態＞
上記実施形態（第１の実施形態）では、図８に示すように、スキャンした画像の全面に動画像を合成して表示していたが、ユーザが任意の場所に、任意のサイズで動画像を合成して表示させたい、というニーズも当然考えられる。そこで本第２の実施形態では、これを実現する例を説明する。
【００３４】
図１０は、本実施形態において用いる動画像情報を示している。動画像のサイズはＨM×ＷM[pixel]であり、文字１００１と図形１００２が互いに点滅するようなアニメーションであるとする。
【００３５】
図１１は、前記動画像情報が多重化印刷される画像を示している。本実施形態においては、多重化させようとしているユーザは、図１１に示す画像の領域１１０１に、前記動画像情報を合成したいと考えているものとする。再生領域１１０１は、図１１に示すように、再生領域の原点となる左上の座標（Ｐx,Ｐy）と、再生する際のサイズＨDM×ＷDM[pixel]で表現されている。単位は、パーセントで表され、印字される画像の縦、横それぞれのサイズを１００％と定義する。
【００３６】
これらの情報は再生側で必要となるため、図２の付加情報生成部２０６において、多重化フォーマットのヘッダ部にその情報を格納する必要がある。図１２は、本第２の実施形態における多重化フォーマットを示している。第１の実施形態と異なり、ヘッダ部１２０１にマルチメディア情報の再生位置１２０２を格納する部分があり、前記再生位置情報Ｐx，Ｐy,ＨDM,ＷDMをＱビット単位で格納する。
【００３７】
後の印字側の処理は、第１の実施形態で説明と実質的に同様であり、復号化処理も第１の実施形態とほぼ同様の処理を行う。
【００３８】
出力された印字物は、スキャナ等の光学読み取り装置２０９を用いて印字物上の画像情報を読みとる。読み取り解像度は、印字解像度と同一か、それ以上の解像度である必要がある。スキャンの結果得られた画像情報（Ｈ'S×Ｗ'S[pixel]）は、付加情報分離部２１０に入力され、同部において、印刷時に生成したテクスチャの規則性を解析することにより、印字物中に埋め込まれた多重化情報Ｚ'を分離する。
【００３９】
読みとった多重化情報Ｚ'は、誤り訂正復号化部２１１に入力される。誤り訂正復号化部２１１では誤り訂正処理を行い、その結果得られた付加情報Ｙは、コンテンツ表示部２１２に入力され、付加されていたマルチメディア情報の種類に応じて、適切な手段によりコンテンツの再生を行う。
【００４０】
図１３は、本第２の実施形態におけるコンテンツ表示部２１２の処理の流れを示している。以下、同図に沿って説明する。
【００４１】
まず、ステップＳ１３０１において、読み取った付加情報が動画であるか否かの判定を行う。判定は、付加情報 ヘッダ部に含まれているマルチメディア情報のファイル名の拡張子を用いて行う。すなわち、ファイルの拡張子がＧＩＦやＭＰＧ、あるいは、その他動画像のフォーマットを示すような拡張子であった場合、処理はステップＳ１３０２に進み、その他の拡張子であった場合には、ステップＳ１３１０において、各種拡張子に応じたアプリケーションを用いて、マルチメディア情報の再生を行う。ステップＳ１３０２において、スキャナ２０９で読み取られた画像情報（Ｈ'S×Ｗ'S[pixel]）を読み込み、ステップＳ１３０３において、図１４に示すような表示用のサイズＨD×ＷD[pixel]にリサイズし、表示用のビューワ１４０１に背景画像として表示する。リサイズの方法は、公知である最近隣補間法や線形補間法等のいずれを使用してもよい。
【００４２】
次に、ステップＳ１３０４において、解読した動画像情報Ｘ（ＨM×ＷM[pixel]）を、ステップＳ１３０５において算出した表示用のサイズにリサイズする。リサイズ後の動画像情報のサイズは、次式のようになる。
縦：ＨD×ＨDM／１００    横：ＷD×ＷDM／１００
次に、ステップＳ１３０６において、ステップＳ１３０７で算出した表示位置で背景画像に重ね合わせて、動画情報の再生処理を行う。表示位置（Ｐ'x,Ｐ'y）は、次式で算出される。
（Ｐ'x,Ｐ'y）＝｛ＷD×Ｐx／１００，ＨD×Ｐy／１００｝
図１４は、動画像再生処理の例であって、スキャンした画像上で、文字と飾りが点滅している様子を示している。ユーザは、ビューワ１４０１の再生ボタン１４０２、一時停止ボタン１４０３、ストップボタン１４０４及び、処理終了ボタン１４０５等で動画を制御することができる。再生終了後、S１３０８において再生ボタンが押されたなら、再び動画像再生処理を行い、S１３０９において処理終了ボタンが押されたなら、処理を終了する。
【００４３】
以上が、本第２の実施形態における処理の流れの説明である。第２の実施形態で説明したように、スキャナで読み取られた画像と、その画像中に埋め込まれている動画情報を合成することにより、従来なかったようなエンターテイメント性の高い印字、復元、再生処理を実現することが可能となる。また、本実施形態では付加情報として、動画像情報１つを選択したのみであったが、動画像情報は１種類に限定するものではなく、また動画像情報とは別の例えば音声情報等を動画像情報と一緒に印字画像領域中に多重化し、再生時に動画像情報と同時に音声情報を再生するという応用も本発明の範疇に含まれる。
【００４４】
また、本実施形態では、画像中に付加情報を視認不可能な状態で埋め込む技術を採用したが、同様の効果は図１５に示すようなバーコードを印字することでも、実現することが可能である。図１５において、１５０１は２次元のドットコード領域であり、同領域に動画像情報がドットのオン・オフにより印字されている。再生側では、該領域１５０１をスキャンすることで動画像情報を復元し、画像領域をスキャンすることによって得られた画像情報と合成することで、本発明が狙うものと同様の効果を生み出すことができる。当然のことながら、この場合も本発明の範疇に含まれることは言うまでもない。
【００４５】
また、本発明は、複数の機器（例えばホストコンピュータ、インタフェイス機器、リーダ、プリンタ等）から構成されるシステムに適用しても、一つの機器からなる装置（例えば、複写機、ファクシミリ装置等）に適用しても良い。
【００４６】
また、本発明の目的は、前述した実施形態の機能を実現するソフトウエアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００４７】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
以上説明したように本第１、第２の実施形態によれば、任意の画像をプリンタで印字する際に、通常の疑似階調処理では発生し得ない量子化値の組み合わせを人工的に作成することにより、誤差拡散法によって生じるテクスチャに規則性を生じさせて符号の埋め込みを行うことで、画像領域中に任意の付加情報を多重化することが可能となる。また、付加情報として動画像情報を選択し、復号側で動画像情報と情報多重化領域である画像とを合成させて表示することで、エンターテイメント性の高い年賀状やグリーティングカードを作成したり、公告効果の高い業務用ダイレクトメール等を容易に作成することが可能となる。
【００４８】
【発明の効果】
以上説明したように本発明によれば、印刷物を読み取った際、その印刷物に付随して記録されている付加情報を、読み取った画像を表示すると共に再生することで、単なる静止画の枠を越えた特殊効果をかもし出すことが可能になる。
【図面の簡単な説明】
【図１】電子透かしの従来の構成を示す図である。
【図２】実施形態における機能ブロック構成図である。
【図３】実施形態における装置のブロック構成図である。
【図４】実施形態で用いた動画像情報の例を示す図である。
【図５】実施形態における多重化される画像の例を示す図である。
【図６】実施形態のける多重化フォーマットを示す図である。
【図７】実施形態におけるコンテンツ表示処理手順を示すフローチャートである。
【図８】実施形態における再生処理の表示例を示す図である。
【図９】ドットコードにより動画像情報を付加した場合の印刷物の例を示す図である。
【図１０】第２の実施形態における動画像情報を示す図である。
【図１１】第２の実施形態における付加情報が多重化される画像の例を示す図である。
【図１２】第２の実施形態にける多重化フォーマットを示す図である。
【図１３】第２の実施形態におけるコンテンツ表示処理手順を示すフローチャートである。
【図１４】第２の実施形態における動画像表示の例を示す図である。
【図１５】第２の実施形態における、ドットコードにより動画像情報を付加した場合の印刷物の例を示す図である。
【図１】
0004471331.tif 000002
【図２】
0004471331.tif 000003
【図３】
0004471331.tif 000004
【図４】
0004471331.tif 000005
【図５】
0004471331.tif 000006
【図６】
0004471331.tif 000007
【図７】
0004471331.tif 000008
【図８】
0004471331.tif 000009
【図９】
0004471331.tif 000010
【図１０】
0004471331.tif 000011
【図１１】
0004471331.tif 000012
【図１２】
0004471331.tif 000013
【図１３】
0004471331.tif 000014
【図１４】
0004471331.tif 000015
【図１５】
0004471331.tif 000016